(57)【要約】【課題】フィルターの清掃時、室内を汚さないでフィルターを十分に清掃できる給気フィルター装置を提供することを目的とする。【解決手段】外郭の内部空間を仕切るようにフィルター２を配設し、吸込口と吐出口を形成したフィルターユニットと、室外側ダクト３を連通接続する吸込側接続部４、および天井裏に設置される換気装置５の吸気口６に接続された室内側ダクト７を連通接続する吐出側接続部８を設け、室内側壁面１０ａに固定されるフィルターユニット取付具とを備え、フィルターユニットは、フィルターユニット取付具に、吸込口と吸込側接続部４を、吐出口と吐出側接続部８を、それぞれ連通させて、着脱自在に取り付けられることにより、フィルター２に付着した塵埃等を室内に落下させることなく、フィルター２を清掃しやすい場所に移動して、十分に清掃できる。【選択図】図１
2010249369.tif 000002
【特許請求の範囲】
【請求項１】
箱状の外郭の内部空間を仕切るようにフィルターを配設し、前記フィルターによって仕切られた一方の空間側に吸込口を形成し、もう一方の仕切られた空間側に吐出口を形成したフィルターユニットと、室外に連通した室外側ダクトを連通接続する吸込側接続部、および、天井裏に設置され室内に給気する換気装置の吸気口に接続された室内側ダクトを連通接続する吐出側接続部を設け、室内側壁面に固定されるフィルターユニット取付具とを備え、前記フィルターユニットは、前記フィルターユニット取付具に、前記吸込口と前記吸込側接続部を、前記吐出口と前記吐出側接続口を、それぞれ連通させて、着脱自在に取り付けられることを特徴とする給気フィルター装置。
【請求項２】
前記室内側壁面に当接させ前記吸込側接続部を設けた背面部と、前記吐出側接続部を設けた天面部とからなるフィルターユニット取付具を、建築物の壁部に挿着した室外側ダクトの室内側端部に連通接続して取り付けることを特徴とする請求項１記載の給気フィルター装置。
【請求項３】
前記フィルターユニットの外郭内壁面に前記フィルターの嵌合溝を形成し、種類の異なるフィルターを選択自在に装着することを特徴とする請求項１または２記載の給気フィルター装置。
【請求項４】
前記フィルターを水平に配設したことを特徴とする請求項２記載の給気フィルター装置。
【請求項５】
前記フィルターを垂直に配設したことを特徴とする請求項１または２記載の給気フィルター装置。
【請求項６】
前記フィルターを、給気流に対して傾斜するように配設したことを特徴とする請求項１または２記載の給気フィルター装置。
【請求項７】
前記フィルターの上流側に防虫ネットを設けたことを特徴とする請求項１〜６のいずれかに記載の給気フィルター装置。
【請求項８】
前記フィルターユニットの外郭を発泡スチロールで構成したことを特徴とする請求項１または２記載の給気フィルター装置。
【請求項９】
前記フィルターユニットの外郭を、内部に空気層を有した樹脂によるブロー成形としたことを特徴とする請求項１または２記載の給気フィルター装置。
【請求項１０】
前記吸込側接続部は、室外側を低く傾斜させた前記室外側ダクトに接続されるとともに、その内周面下端部が前記外郭の内壁下面より下方に位置する構成としたことを特徴とする請求項２記載の給気フィルター装置。
【請求項１１】
前記フィルターユニット取付具の下部に、フィルターユニットの外郭を嵌合して保持する突部を設けたことを特徴とする請求項２記載の給気フィルター装置。
【請求項１２】
前記フィルターユニット取付具の上部に、前記フィルターユニットの外郭を嵌合して保持する突部を設けたことを特徴とする請求項２または１０記載の給気フィルター装置。
【請求項１３】
フィルターユニット取付具の両側面部に、対向する側板を設け、前記対向する側板に前記フィルターユニットの外郭を嵌合して保持する嵌合部を設けたことを特徴とする請求項２または１０記載の給気フィルター装置。
【請求項１４】
前記フィルターユニット取付具の前部に前記フィルターユニットの外郭を押さえながら、フィルターユニット取付具に螺合するつまみねじを設けたことを特徴とする請求項２または１０記載の給気フィルター装置。
【請求項１５】
前記換気装置に替えて前記フィルターユニット取付具に送風機を内設した送風部を設け、前記フィルターユニットの吐出口を前記送風部の吸気口に連通させることを特徴とする請求項１または２記載の給気フィルター装置。
【発明の詳細な説明】
【技術分野】
【０００１】
本発明は、換気装置により、室外空気を室内へ給気する際の空気清浄を行う給気フィルター装置に関するものである。
【背景技術】
【０００２】
従来より、この種の給気フィルター装置として、屋外に開口する屋外開口端から外気を、ダクトを介して換気装置に吸込ませ、室内に臨む室内吹出口から室内へ給気する給気系を有し、その換気装置は建物の天井裏の空間に設置させて構成される換気システムが知られている（例えば、特許文献１参照）。
【０００３】
特許文献１に記載の換気システムにおけるフィルター装置は、屋外開口端と換気装置の間の外気の給気経路の一部を、ボックス構造体内に構成して室内の手が届く位の位置に設け、ボックス構造体の給気経路を横断するように、フィルター枠を保持させた、給気を濾過するエアーフィルターを着脱可能に設けている。
【０００４】
フィルター装置の外郭を構成するボックス構造体は、屋外開口端に通じるダクトを接続する接続フランジと、換気装置の吸込口に通じるダクトを接続する接続フランジを天部の左右対称位置に並んで備え、接続されたダクトは天井裏へと通じ、屋外開口端、および、換気装置の吸込口へと連通している。
【先行技術文献】
【特許文献】
【０００５】
【特許文献１】特開２００７−１８７４０８号公報
【発明の概要】
【発明が解決しようとする課題】
【０００６】
このような従来の給気フィルター装置では、清掃時、エアーフィルターをボックス構造体から抜き出して、付着した埃等を除去する清掃をするが、清掃する場所まで運ぶ間に埃等を落として室内を汚したり、または、落下する埃等を受けるトレイ等を用意しなければならない、という課題がある。
【０００７】
本発明は、このような従来の課題を解決するものであり、フィルター装置の清掃時、室内を汚さないでエアーフィルターを十分に清掃できる給気フィルター装置を提供することを目的とする。
【課題を解決するための手段】
【０００８】
本発明の給気フィルター装置は、上記目的を達成するために、箱状の外郭の内部空間を仕切るようにフィルターを配設し、前記フィルターによって仕切られた一方の空間側に吸込口を形成し、もう一方の仕切られた空間側に吐出口を形成したフィルターユニットと、室外に連通した室外側ダクトを連通接続する吸込側接続部、および、天井裏に設置され室内に給気する換気装置の吸気口に接続された室内側ダクトを連通接続する吐出側接続部を設け、室内側壁面に固定されるフィルターユニット取付具とを備え、前記フィルターユニットは、前記フィルターユニット取付具に、前記吸込口と前記吸込側接続部を、前記吐出口と前記吐出側接続口を、それぞれ連通させて、着脱自在に取り付けられるものである。
【０００９】
また、他の手段は、前記室内側壁面に当接させ前記吸込側接続部を設けた背面部と、前記吐出側接続部を設けた天面部とからなるフィルターユニット取付具を、建築物の壁部に挿着した室外側ダクトの室内側端部に連通接続して取り付けるものである。
【００１０】
また、他の手段は、前記フィルターユニットの外郭内壁面に前記フィルターの嵌合溝を形成し、種類の異なるフィルターを選択自在に装着するものである。
【００１１】
また、他の手段は、前記フィルターを水平に配設したものである。
【００１２】
また、他の手段は、前記フィルターを垂直に配設したものである。
【００１３】
また、他の手段は、前記フィルターを、給気流に対して傾斜するように配設したものである。
【００１４】
また、他の手段は、前記フィルターの上流側に防虫ネットを設けたものである。
【００１５】
また、他の手段は、前記フィルターユニットの外郭を発泡スチロールで構成したものである。
【００１６】
また、他の手段は、前記フィルターユニットの外郭を、内部に空気層を有した樹脂によるブロー成形としたものである。
【００１７】
また、他の手段は、前記吸込側接続部は、室外側を低く傾斜させた前記室外側ダクトに接続されるとともに、その内周面下端部が前記外郭の内壁下面より下方に位置する構成としたものである。
【００１８】
また、他の手段は、前記フィルターユニット取付具の下部に、フィルターユニットの外郭を嵌合して保持する突部を設けたものである。
【００１９】
また、他の手段は、前記フィルターユニット取付具の上部に、前記フィルターユニットの外郭を嵌合して保持する突部を設けたものである。
【００２０】
また、他の手段は、フィルターユニット取付具の両側面部に、対向する側板を設け、前記対向する側板に前記フィルターユニットの外郭を嵌合して保持する嵌合部を設けたものである。
【００２１】
また、他の手段は、前記フィルターユニット取付具の前部に前記フィルターユニットの外郭を押さえながら、フィルターユニット取付具に螺合するつまみねじを設けたものである。
【００２２】
また、他の手段は、前記換気装置に替えて前記フィルターユニット取付具に送風機を内設した送風部を設け、前記フィルターユニットの吐出口を前記送風部の吸気口に連通させるものである。
【発明の効果】
【００２３】
本発明によれば、箱状の外郭の内部空間を仕切るようにフィルターを配設し、フィルターによって仕切られた一方の空間側に吸込口を形成し、もう一方の仕切られた空間側に吐出口を形成したフィルターユニットと、室外に連通した室外側ダクトを連通接続する吸込側接続部、および、天井裏に設置され室内に給気する換気装置の吸気口に接続された室内側ダクトを連通接続する吐出側接続部を設け、室内側壁面に固定されるフィルターユニット取付具とを備え、フィルターユニットは、フィルターユニット取付具に、前記吸込口と前記吸込側接続部を、前記吐出口と前記吐出側接続口を、それぞれ連通させて、着脱自在に取り付けられることにより、フィルターに付着した塵埃等を室内に落下させることなく、フィルターを清掃しやすい場所に移動して、十分に清掃できる、という効果のある給気フィルター装置を提供することができる。
【００２４】
また、室内側壁面に当接させ吸込側接続部を設けた背面部と、吐出側接続部を設けた天面部とからなるフィルターユニット取付具を、建築物の壁部に挿着した室外側ダクトの室内側端部に連通接続して取り付けることにより、室外側ダクトの内部の清掃も併せて容易にできる。
【００２５】
また、フィルターユニットの外郭内壁面にフィルターの嵌合溝を形成し、種類の異なるフィルターを選択自在に装着することにより、室外環境に対応してフィルターを選択することが容易にできる。
【００２６】
また、フィルターを水平に配設したことにより、フィルターへの塵埃等の付着を抑えるとともに、塵埃等をフィルターユニットに溜めていくことができる。
【００２７】
また、フィルターを垂直に配設したことにより、フィルターユニットの室内側への厚みを抑えたうえで、フィルターの塵埃等捕集効果を高めるとともに、フィルターによる風量低下を抑えることができる。
【００２８】
また、フィルターを、給気流に対して傾斜するように配設したことにより、フィルターユニットの室内側への厚みを抑えたうえで、フィルターの塵埃等捕集効果を確保するとともに、フィルターによる風量低下を抑えることができる。
【００２９】
また、フィルターの上流側に防虫ネットを設けたことにより、大きな塵埃や虫は防虫ネットで捕集し、フィルターの寿命を延ばすことができる。
【００３０】
また、フィルターユニットの外郭を発泡スチロールで構成したことにより、室内側壁面に取り付ける給気フィルター装置における結露の発生を防止できる。
【００３１】
また、フィルターユニットの外郭を、内部に空気層を有した樹脂によるブロー成形としたことにより、結露の発生を防止できるとともに、丸洗い等ができて掃除性が向上する。
【００３２】
また、上記吸込側接続部は、室外側を低く傾斜させた上記室外側ダクトに接続されるとともに、その内周面下端部が外郭の内壁下面より下方に位置する構成としたことにより、外郭内に付着する水を滞留させることなく、室外へ排出できる。
【００３３】
また、フィルターユニット取付具の下部に、フィルターユニットの外郭を嵌合して保持する突部を設けたことにより、フィルターユニットを、落下を阻止した状態にして、確実にフィルターユニット取付具に固定することができる。
【００３４】
また、フィルターユニット取付具の上部に、フィルターユニットの外郭を嵌合して保持する突部を設けたことにより、フィルターユニットとフィルターユニット取付具との当接面における気密性が増して、その当接面からの風漏れを防ぐことができる。
【００３５】
また、フィルターユニット取付具の両側面部に、対向する側板を設け、この対向する側板にフィルターユニットの外郭を嵌合して保持する嵌合部を設けたことにより、フィルターユニットとフィルターユニット取付具との当接面における気密性が増して、その当接面からの風漏れを防ぐことができる。
【００３６】
また、フィルターユニット取付具の前部にフィルターユニットの外郭を押さえながら、フィルターユニット取付具に螺合するつまみねじを設けたことにより、フィルターユニットとフィルターユニット取付具との当接面からの風漏れ防止効果が高まる。
【００３７】
また、上記換気装置に替えてフィルターユニット取付具に送風機を内設した送風部を設け、フィルターユニットの吐出口を送風部の吸気口に連通させることにより、フィルターと給気用の送風機を、ともに室内で清掃でき、掃除性がさらに向上する。
【図面の簡単な説明】
【００３８】
【図１】本発明の実施の形態１の給気フィルター装置の設置構成図
【図２】同給気フィルター装置のフィルターユニット取り外し時におけるフィルターユニット側からの斜視図
【図３】同給気フィルター装置の内部構造を示す側面断面図
【図４】同給気フィルター装置のフィルターユニットを示す分解斜視図
【図５】同給気フィルター装置のフィルターユニット取り外し時におけるフィルターユニット取付具側からの斜視図
【図６】本発明の実施の形態２の給気フィルター装置のフィルターユニット取り外し時における上方からの斜視図
【図７】同給気フィルター装置のフィルターユニットを示す部分断面図
【図８】同給気フィルター装置のフィルターユニット取り外し時におけるフィルターユニット側からの斜視図
【図９】本発明の実施の形態３の給気フィルター装置を示す側面断面図
【図１０】同給気フィルター装置のフィルターユニット取り外し時におけるフィルターユニット側からの斜視図
【発明を実施するための形態】
【００３９】
本発明の請求項１記載の給気フィルター装置は、箱状の外郭の内部空間を仕切るようにフィルターを配設し、前記フィルターによって仕切られた一方の空間側に吸込口を形成し、もう一方の仕切られた空間側に吐出口を形成したフィルターユニットと、室外に連通した室外側ダクトを連通接続する吸込側接続部、および、天井裏に設置され室内に給気する換気装置の吸気口に接続された室内側ダクトを連通接続する吐出側接続部を設け、室内側壁面に固定されるフィルターユニット取付具とを備え、前記フィルターユニットは、前記フィルターユニット取付具に、前記吸込口と前記吸込側接続部を、前記吐出口と前記吐出側接続口を、それぞれ連通させて、着脱自在に取り付けられるものであり、フィルターに塵埃等が付着して清掃時期になったら、フィルターが収納されたままのフィルターユニットを取り外し、清掃がしやすい場所に持ち運んで清掃できるという作用を有する。
【００４０】
また、請求項２記載の給気フィルター装置は、前記室内側壁面に当接させ前記吸込側接続部を設けた背面部と、前記吐出側接続部を設けた天面部とからなるフィルターユニット取付具を、建築物の壁部に挿着した室外側ダクトの室内側端部に連通接続して取り付けるものであり、フィルターユニットを取り外すと、壁部に挿着した室外側ダクトの内部がまっすぐな状態で室内に臨み、室外ダクトの清掃を容易に行うことができる。
【００４１】
また、請求項３記載の給気フィルター装置は、前記フィルターユニットの外郭内壁面に前記フィルターの嵌合溝を形成し、種類の異なるフィルターを選択自在に装着するものであり、室外環境に適したフィルターの種類を選択し、容易にフィルターユニットに装着できる。
【００４２】
また、請求項４記載の給気フィルター装置は、前記フィルターを水平に配設したものであり、給気流がフィルターの下面側から上面側へと流れ、塵埃等がフィルターの下面側に付着するとともに外郭の下方へ落下して溜まっていく。
【００４３】
また、請求項５記載の給気フィルター装置は、前記フィルターを垂直に配設したものであり、フィルターユニットの室内側への厚みを抑えて、フィルターの有効面積を増すことができる。
【００４４】
また、請求項６記載の給気フィルター装置は、前記フィルターを、給気流に対して傾斜するように配設したものであり、フィルターユニットの室内側への厚みを抑えて、フィルターの有効面積を確保できる。
【００４５】
また、請求項７記載の給気フィルター装置は、前記フィルターの上流側に防虫ネットを設けたものであり、給気流がフィルターを通過する前に、防虫ネットで大きな塵埃や虫を捕集することができる。
【００４６】
また、請求項８記載の給気フィルター装置は、前記フィルターユニットの外郭を発泡スチロールで構成したものであり、外郭は断熱構造となって、室外空気と室内の温度差による結露の発生を防ぐことができる。
【００４７】
また、請求項９記載の給気フィルター装置は、前記フィルターユニットの外郭を、内部に空気層を有した樹脂によるブロー成形としたものであり、外郭は断熱構造となって、室外空気と室内の温度差による結露の発生を防ぐことができ、また、耐水性や耐久性に強いため、丸洗い等が可能となる。
【００４８】
また、請求項１０記載の給気フィルター装置は、前記吸込側接続部は、室外側を低く傾斜させた前記室外側ダクトに接続されるとともに、その内周面下端部が前記外郭の内壁下面より下方に位置する構成としたものであり、室外空気の給気により外郭内に付着する水は、室外側ダクトから室外へスムーズに流れ落ちていく。
【００４９】
また、請求項１１記載の給気フィルター装置は、前記フィルターユニット取付具の下部に、フィルターユニットの外郭を嵌合して保持する突部を設けたものであり、フィルターユニットをフィルターユニット取付具に、落下を阻止する状態に保持できる。
【００５０】
また、請求項１２記載の給気フィルター装置は、前記フィルターユニット取付具の上部に、前記フィルターユニットの外郭を嵌合して保持する突部を設けたものであり、フィルターユニットはフィルターユニット取付具に対し、水平方向の保持が確実になされることとなって、フィルターユニットとフィルターユニット取付具との当接面における気密性が増す。
【００５１】
また、請求項１３記載の給気フィルター装置は、フィルターユニット取付具の両側面部に、対向する側板を設け、前記対向する側板に前記フィルターユニットの外郭を嵌合して保持する嵌合部を設けたものであり、フィルターユニットはフィルターユニット取付具に対し、水平方向の保持が確実になされることとなって、フィルターユニットとフィルターユニット取付具との当接面における気密性が増す。
【００５２】
また、請求項１４記載の給気フィルター装置は、前記フィルターユニット取付具の前部に前記フィルターユニットの外郭を押さえながら、フィルターユニット取付具に螺合するつまみねじを設けたものであり、フィルターユニッはフィルターユニット取付具に対し、前部で強固に固定され、水平方向の保持がより確実なものとなり、フィルターユニットとフィルターユニット取付具との当接面における気密性がより高いものとなる。
【００５３】
また、請求項１５記載の給気フィルター装置は、前記換気装置に替えて前記フィルターユニット取付具に送風機を内設した送風部を設け、前記フィルターユニットの吐出口を前記送風部の吸気口に連通させるものであり、フィルターの清掃時に、給気用の送風機もフィルターユニットと共に室内で清掃することができる。
【００５４】
以下、本発明の実施の形態について、図１〜図１０を参照しながら説明する。
【００５５】
（実施の形態１）
図１に示すように、本発明の実施の形態１の給気フィルター装置１は、室外空気の清浄を目的としたフィルター２を内蔵しており、室外空気を室内へ給気する際、室外空気は、まず、建築物の壁部１０にまっすぐ挿着され室外に連通した室外側ダクト３を通り、後述する室外側ダクト３と連通接続する吸込側接続部４から給気フィルター装置１内に入り、フィルター２を通過する。
【００５６】
そして、天井裏に設置され室内に給気する送風装置（図示せず）を有する換気装置５の吸気口６に接続された室内側ダクト７と、給気フィルター装置１に設けられた吐出側接続部８とが連通接続されていて、フィルター２を通過した室外空気を換気装置５へと送る。したがって、換気装置５へ送られた室外空気は給気フィルター装置１を経由することによって清浄され、換気装置５から室内給気ダクト９によって、各居室へと分配されて室内へ給気される。
【００５７】
給気フィルター装置１は、室内側壁面１０ａに固定される、図２に示すような、フィルターユニット取付具１１と、フィルターユニット取付具１１に着脱自在に取り付けできるフィルターユニット１２とから構成されており、フィルターユニット取付具１１には、その背面部１１ａに、室外側ダクト３の室内側端部と連通接続する前記吸込側接続部４と、天面部１１ｂに室内側ダクト７と連通接続する前記吐出側接続部８とを設け、一方、フィルターユニット１２には、箱状の外郭１３の内部空間を仕切るようにフィルター２を配設している。
【００５８】
さらに詳述すると、図３に示すように、フィルターユニット１２は、フィルター２によって仕切られた外郭１３の一方の空間側に、吸込側接続部４と連通する吸込口１４を形成し、もう一方の仕切られた空間側に、吐出側接続部８と連通する吐出口１５を形成し、一方、フィルターユニット取付具１１は、背面部１１ａが室内側壁面１０ａに当接するとともに、吸込側接続部４が壁部１０にまっすぐ挿着された室外側ダクト３の室内側端部に直結して連通接続する状態に取り付けられる。
【００５９】
上記構成の給気フィルター装置１によれば、箱状の外郭１３内にフィルター２を配設し風路を構成するフィルターユニット１２が、フィルターユニット取付具１１に着脱自在に取り付けられていることによって、フィルター２に塵埃等が付着して清掃時期になったら、フィルター２が収納されたままのフィルターユニット１２をフィルターユニット取付具１１から取り外し、清掃がしやすい場所に持ち運んで清掃できることとなるため、フィルター２に付着した塵埃等を室内に落下させることなく、内部まで十分に清掃することができる。
【００６０】
また、フィルターユニット１２を取り外すと、フィルターユニット取付具１１の吸込側接続部４と、壁部１０に挿着した室外側ダクト３との内部がまっすぐな状態で室内に臨むため、室外側ダクト３の内部まで清掃を容易に行うことができる。
【００６１】
そして、上記構成において、フィルターユニット１２に着脱自在に取り付けられるフィルター２を水平に配設する構成とすることによって、給気流がフィルター２の下面側から上面側へと流れ、塵埃等がフィルター２の下面側に付着するとともにフィルターユニット１２内部の下方へ落下して溜まっていく。そのため、フィルター２への塵埃等の付着を抑えるとともに、塵埃等をフィルターユニット１２下面に溜めていくことができる。
【００６２】
また、フィルター２の上流側に、フィルター２よりも目が粗く、粗塵や小さな虫などの侵入を防ぐための防虫ネット１６を設け、室外空気がフィルター２を通過する前に防虫ネット１６を通るようにすることによって、防虫ネット１６で大きな塵埃や虫を捕集することができるため、フィルター２の寿命を延ばすことができる。
【００６３】
また、図４に示すように、フィルター２を固定するフィルター固定部１８および防虫ネット１６を固定する防虫ネット固定部（図示せず）を備えたフィルターユニット１２は、発泡スチロールでフィルター固定部１８および防虫ユニットも含めて一体に形成された一部品で構成されており、さらに、発泡スチロール製の外郭１３を覆うように樹脂によるフロントパネル１９を設け、フロントパネル１９と外郭１３とを固定している。
【００６４】
上記構造により、フィルターユニット１２は発泡スチロールにより断熱構造となって、室外空気を室内へ給気する際の室内との温度差による結露の発生を防ぐことができる風路を構成することができる。
【００６５】
また、吸込側接続部４は、室外側を低く傾斜させて施工した室外側ダクト３（図１参照）に接続できるように、図３に示すように、室外に向かって先端側を低くさせて傾斜しているとともに、その内周面における室内側下端部が外郭１３の内壁下面２０より下方に位置する構成とすることによって、室外空気の給気により、フィルターユニット１２の外郭１３内に水が浸入、もしくは付着しても、フィルターユニット１２の外郭１３の内壁下面２０から下方へと流れていき、室外側を低く傾斜させた室外側ダクト３から室外へスムーズに流れ落ちていくこととなり、外郭１３内に付着する水を滞留させることなく、室外へ排出することができる。
【００６６】
また、フィルターユニット１２の外郭１３を樹脂により構成し、次に述べる樹脂部分の形状を作りこむことによって、フィルターユニット取付具１１との固定構造を構成することができる。
【００６７】
図５に示すように、フィルターユニット１２とフィルターユニット取付具１１を固定するために、フィルターユニット取付具１１の下部に、フィルターユニット１２の外郭１３を嵌合して保持する下部突部２１を設け、対応するフィルターユニット１２の外郭１３の下部にも、下部突部２１と嵌合する凹部２２を設けて、フィルターユニット１２をフィルターユニット取付具１１に固定する際に、下部突部２１と凹部２２を嵌合させることによって、フィルターユニット１２の下方向への当てがフィルターユニット取付具１１の下部突部２１により構成されるため、フィルターユニット１２をフィルターユニット取付具１１に、落下を阻止する状態に保持し、確実にフィルターユニット取付具１１に固定することができる。
【００６８】
さらに、フィルターユニット取付具１１の上部に、フィルターユニット１２の外郭１３を嵌合して保持する上部突部２３を設けることによって、フィルターユニット１２はフィルターユニット取付具１１に対し、水平方向の保持が確実になされることとなって、フィルターユニット１２とフィルターユニット取付具１１との当接面における気密性が増すため、当接面からの風漏れを防ぐことができる。
【００６９】
（実施の形態２）
本発明の実施の形態２の給気フィルター装置１Ａは、上記実施の形態１の給気フィルター装置１に対し、図６に示すように、フィルターユニット１２Ａの外郭１３Ａにフィルター２を垂直に配設している点が相違する。
【００７０】
これにより、水平方向へフィルター２を配設するのに対して、フィルター２の面積を大きくした場合でも、フィルターユニット１２Ａの室内側への厚み２４を抑えて、フィルター２の有効面積を増すことができ、フィルター２の塵埃等捕集効果を高めるとともに、フィルター２による風量低下を抑えることができる。
【００７１】
そして、フィルターユニット１２Ａの外郭内壁面１７にフィルター２の嵌合溝２５を形成し、フィルター２を取り替える際、フィルター２を嵌合溝２５に沿わせて垂直方向へ抜き差しすることによってフィルター交換を行う構造とし、さらに、給気してくる室外空気の汚れの異なる室外環境に対応したフィルター２の種類違いにより、フィルター２の厚みやフィルター幅寸法が異なる場合でもフィルターユニット１２へ固定が可能なように、あらかじめ、種類の異なるフィルター２の寸法に合わせた複数の嵌合溝２５を外郭内壁面１７に形成してある。
【００７２】
これにより、フィルター２を取り替えること、あるいは、室外環境に適したフィルター２の種類を選択して装着することが、容易に行えることとなる。
【００７３】
また、図７に示すように、外郭１３Ａは樹脂によるブロー成形により一部品にて形成され、内部に空気層２６を有する構造としている。
【００７４】
フィルターユニット１２Ａをフィルターユニット取付具１１Ａに固定して、風路を構成し、室外空気を通風させた際に、通常、冬期等の室外空気が冷たく、室内環境が暖かいときに、空気の温度差により、フィルターユニット１２Ａの外郭１３Ａ表面に結露が生じる恐れがあるが、上記ブロー成形により内部に空気層２６を有した構造となり、外郭１３Ａは断熱構造となって、室外空気と室内の温度差による結露の発生を防ぐことができる。また、耐水性や耐久性に強いため、丸洗い等が可能となるため、メンテナンス性がよくなる。
【００７５】
そして、フィルターユニット１２Ａとフィルターユニット取付具１１Ａの固定方法としては、図示していないが、上記実施の形態１と同様にフィルターユニット取付具１１Ａの下部に、フィルターユニット１２Ａの外郭１３Ａと嵌合して保持するための下部突部２１を設け、一方の外郭１３Ａの下部にも、下部突部２１と嵌合する凹部２２を設けて、フィルターユニット１２Ａをフィルターユニット取付具１１Ａに、落下を阻止する状態に保持し、確実にフィルターユニット取付具１１に固定する構造としている。
【００７６】
また、図８に示すように、フィルターユニット１２Ａとフィルターユニット取付具１１Ａの水平方向の保持固定として、フィルターユニット取付具１１Ａの両方の側面部１１ｃに対向する側板２７を設け、この対向する側板２７のそれぞれに凹部２８を設け、一方、フィルターユニット１２Ａの対向する側面部１１ｃに突部２９を設け、フィルターユニット１２Ａをフィルターユニット取付具１１Ａに固定するときに凹部２８と前記突部２９が嵌合することによって、フィルターユニット１２Ａはフィルターユニット取付具１１Ａに対し、水平方向の保持が確実になされることとなり、フィルターユニット１２Ａとフィルターユニット取付具１１Ａとの当接面における気密性が増し、風漏れを防ぐことができる。
【００７７】
（実施の形態３）
本発明の実施の形態３の給気フィルター装置１Ｂは、上記実施の形態１の給気フィルター装置１に対し、図９および図１０に示すように、天井裏に設置され室内に給気する送風装置を有する換気装置５に替えて、フィルターユニット取付具１１Ｂに送風機３０を内設した送風部３１を設け、フィルターユニット１２Ｂの吐出口１５を送風部３１の吸気口３２に連通させる構成とした点に特徴がある。
【００７８】
上記構成により、フィルターユニット取付具１１Ｂに設けられた送風部３１に内設された送風機３０によって、フィルター２で清浄された室外空気は、送風部３１から給気フィルター装置１Ｂの吐出側接続部８に接続された室内側ダクト７に送出され、天井裏を通って配管された室内側ダクト７から各居室へと分配されて、室内へ給気される。
【００７９】
このように、フィルターユニット取付具１１Ｂに送風機３０を内設した送風部３１を設け、フィルターユニット１２Ｂの吐出口１５を前記送風部３１の吸気口３２に連通させることにより、フィルター２の清掃時に、給気用の送風機３０もフィルターユニット１２Ｂのフィルター２とともに室内で清掃することができるため、掃除性がさらに向上することとなる。
【００８０】
また、フィルター２を給気流に対して傾斜するように配設することにより、フィルター２を装着したフィルターユニット１２Ｂの室内側への厚み２４を抑えて、フィルター２の有効面積を確保できることとなり、フィルターユニット１２Ｂの室内側への厚み２４を抑えたうえで、フィルター２の塵埃等捕集効果を確保するとともに、フィルター２による風量低下を抑えることができる。
【００８１】
また、上記実施の形態１および実施の形態２におけるフィルターユニット１２とフィルターユニット取付具１１の固定方法以外の固定方法として、フィルターユニット取付具１１Ｂの前部に、フィルターユニット１２Ｂの外郭１３Ｂを押さえながら、フィルターユニット取付具１１Ｂに螺合するつまみねじ３３を設け、フィルターユニット１２Ｂを固定する際は、ユーザーがつまみねじ３３を回して、フィルターユニット取付具１１Ｂに螺合させ、反対に取り外す際は、ユーザーがつまみねじ３３を回して、つまみねじ３３を外すことにより、フィルターユニット１２Ｂの固定が解除される。
【００８２】
これによって、フィルターユニット１２Ｂは、フィルターユニット取付具１１Ｂに対し前部で強固に固定され、水平方向の保持がより確実なものとなり、フィルターユニット１２Ｂとフィルターユニット取付具１１Ｂとの当接面における気密性がより高いものとなり、風漏れ防止効果が高まることとなる。
【産業上の利用可能性】
【００８３】
本発明は、フィルターを外郭の内部に配設し、内部の風路空間をフィルターによって仕切られたフィルターユニットを、フィルターユニット取付具に着脱自在に設けることにより、室内を汚さずにフィルターの清掃または交換が容易に行え、室外空気を室内へ給気する装置に広く適用できる。
【符号の説明】
【００８４】
１      給気フィルター装置
１Ａ    給気フィルター装置
１Ｂ    給気フィルター装置
２      フィルター
３      室外側ダクト
４      吸込側接続部
５      換気装置
６      吸気口
７      室内側ダクト
８      吐出側接続部
１０    壁部
１０ａ  室内側壁面
１１    フィルターユニット取付具
１１Ａ  フィルターユニット取付具
１１Ｂ  フィルターユニット取付具
１１ａ  背面部
１１ｂ  天面部
１１ｃ  側面部
１２    フィルターユニット
１２Ａ  フィルターユニット
１２Ｂ  フィルターユニット
１３    外郭
１３Ａ  外郭
１３Ｂ  外郭
１４    吸込口
１５    吐出口
１６    防虫ネット
１７    外郭内壁面
２０    内壁下面
２１    下部突部
２３    上部突部
２５    嵌合溝
２６    空気層
２７    側板
２９    突部
３０    送風機
３１    送風部
３２    吸気口
３３    つまみねじ
【図１】
2010249369.tif 000003
【図２】
2010249369.tif 000004
【図３】
2010249369.tif 000005
【図４】
2010249369.tif 000006
【図５】
2010249369.tif 000007
【図６】
2010249369.tif 000008
【図７】
2010249369.tif 000009
【図８】
2010249369.tif 000010
【図９】
2010249369.tif 000011
【図１０】
2010249369.tif 000012